(57)【特許請求の範囲】
【請求項１】
一端側枠部材が空気調和機本体にヒンジで結合されて開閉する吸込グリルを備え、この吸込グリルの他端側枠部材に設けられるスライド式のフック片を前記空気調和機本体のフック片収容穴に係止させることにより前記吸込グリルを空気調和機本体に係止する天吊型空気調和装置において、
前記フック片には幅方向に延びるスリットを有する凸部を設けると共に、当該フック片が貫通する前記吸込グリルの他端側枠部材の貫通孔には前記フック片の凸部に係合する突起を設けたことを特徴とする天吊型空気調和装置。
【請求項２】
前記フック片には脚体を設け、前記吸込グリルには前記脚体が係合し、前記フック片の移動距離を規定する溝を設けたことを特徴とする請求項１記載の天吊型空気調和装置。
【請求項３】
前記フック片にはねじ孔を設け、前記フック片が前記フック片収容穴に係止されたときに、当該位置で前記ねじ孔にねじを螺合して前記フック片を前記吸込グリルにねじ止め可能に構成したことを特徴とする請求項１または請求項２記載の天吊型空気調和装置。
【発明の詳細な説明】
【０００１】
【発明の属する技術分野】
本発明は、天吊型空気調和装置の吸込グリルの取付構造に関する。
【０００２】
【従来の技術】
一般に、空気調和機本体の樹脂製パネルに一端がヒンジ結合されるとともに、この樹脂製パネルのフック片収容穴に係止されるフック片を有する吸込グリルを備えた天吊型空気調和装置は知られている。
【０００３】
この種のものでは、樹脂製の吸込グリルの桟に直交する方向にフック片をスライドさせるための平坦部を形成して、この平坦部にフック片をスライド自在に装着し、吸込グリルを空気調和機本体の樹脂製パネルに取り付ける場合には、このフック片をスライドさせて、当該フック片の端部を樹脂製パネルのフック片収容穴に係止させるようにしている。
【０００４】
【発明が解決しようとする課題】
従来の技術では、前述したフック片を樹脂製パネルのフック片収容穴に係止するときに要求されるクリック感を出すために、金属ばね等の別部材を使用していた。しかしながら、これでは、吸込グリルあるいはフック片の製造工程が複雑化し、製造コストが増大するという問題がある。
【０００５】
そこで、本発明の目的は、上述した従来の技術が有する問題点を解消し、製造コストを増大させることなく、クリック感を出せるようにしたフック片を備える天吊型空気調和装置を提供することにある。
【０００６】
【課題を解決するための手段】
請求項１記載の発明は、一端側枠部材が空気調和機本体にヒンジで結合されて開閉する吸込グリルを備え、この吸込グリルの他端側枠部材に設けられるスライド式のフック片を前記空気調和機本体のフック片収容穴に係止させることにより前記吸込グリルを空気調和機本体に係止する天吊型空気調和装置において、前記フック片には幅方向に延びるスリットを有する凸部を設けると共に、当該フック片が貫通する前記吸込グリルの他端側枠部材の貫通孔には前記フック片の凸部に係合する突起を設けたことを特徴とするものである。
【０００７】
請求項２記載の発明は、請求項１記載の発明において、前記フック片には脚体を設け、前記吸込グリルには前記脚体が係合し、前記フック片の移動距離を規定する溝を設けたことを特徴とするものである。
【０００８】
請求項３記載の発明は、請求項１または請求項２記載の発明において、前記フック片にはねじ孔を設け、前記フック片が前記フック片収容穴に係止されたときに、当該位置で前記ねじ孔にねじを螺合して前記フック片を前記吸込グリルにねじ止め可能に構成したことを特徴とするものである。
【０００９】
これらの発明によれば、フック片をスライドさせてフック片収容穴に係止する場合、このフック片の凸部が貫通孔に形成された突起に係合し、フック片の凸部がスリット側に凹んでクリック感が得られる。
【００１０】
【発明の実施の形態】
以下、本発明の一実施形態を図面に基づいて説明する。
【００１１】
図１において、符号１は空気調和機本体を示す。この空気調和機本体１は天井から吊り下げられた吊りボルト３に引っかけられて室内天井板５の下面に設置・固定されている。空気調和機本体１には電装箱１１、送風機１３、熱交換器１５、冷媒配管２９等の各種機器類が殆ど隙間なく収納されている。送風機１３は、図２に示すように四台の送風機ユニット２１〜２４からなりこれらは一台のモータ２５で駆動される回転軸２７に固定・配置されている。
【００１２】
熱交換器１５は、図１に示すようにフィン・チューブ型の熱交換器であり、空気調和機本体１内に斜めに設置される。この熱交換器１５には冷媒配管２９が接続され、この冷媒配管２９は空気調和機本体１の外に導出され、室外機（図示せず）の圧縮機、減圧装置、室外熱交換器等に接続される。
【００１３】
この熱交換器１５の下方には、図１に示すように発泡スチロール製のドレンパン３１が設置され、このドレンパン３１の下面には板金製パネル３３が設置される。ドレンパン３１のドレン溜まり３１ａには、図２に示すようにフレキシブルチューブ３２を介してドレンポンプユニット３５が接続され、このドレンポンプユニット３５に収容されるドレンポンプは、ドレン溜まり３１ａに収集されたドレンを吸い上げて空気調和機本体１の外に排出する。
【００１４】
送風機１３の下方には、図１に示すように樹脂製の吸込グリル３７が開閉可能に設置され、この吸込グリル３７には空気清浄用フィルタ３９が取り付けられる。そして、送風機１３が駆動されると吸込グリル３７およびフィルタ３９を通じて室内の空気が空気調和機本体１内に吸い込まれ、この空気は熱交換器１５で熱交換された後に、吹出口４１を通じて室内に吹き出される。４３は空気調和機本体１の略中央を横断的に仕切る中仕切板である。
【００１５】
この実施形態では、図３Ａ〜図３Ｃに示すように、吸込グリル３７は樹脂で一体成形される。この吸込グリル３７はほぼ矩形状を呈し、一端側枠部材３６Ａと他端側枠部材３６Ｂと複数の横桟３８とを備え、複数の横桟３８の間には吸込開口部を備える。この吸込グリル３７の一端部３７Ａはヒンジ５１を介して板金製パネル３３に支持され（図１参照）、吸込グリル３７は一端部３７Ａを軸として他端部３７Ｂが空気調和機本体１から弧を描いて回動するように開閉自在に構成される。この吸込グリル３７の他端側枠部材３６Ｂには、横桟３８に直交する方向に二つの平坦部５７が形成され、これらの平坦部５７には、図４Ａに示すように、樹脂製のフック片１００がスライド自在に装着される。このフック片１００は吸込グリル３７の他端側枠部材３６Ｂの貫通孔５５を貫通し、図４Ｂに示すように、板金製パネル３３に形成されたフック片収容穴５３に係止される。
【００１６】
フック片１００の表面には、図５Ａ〜図５Ｄに示すように、凸部６３が一体に設けられ、この凸部６３には幅方向に延びるスリット５９が形成される。また、フック片１００の裏面には、一対の脚体６７が一体に設けられる。符号７１はねじ７５（図４Ｂ参照）を通すためのねじ孔である。図４Ａを参照して、フック片１００が貫通する貫通孔５５の孔壁には、フック片１００の前記凸部６３に係合する突起６５が一体に設けられる。また、他端側枠部材３６Ｂの平坦部５７にはフック片１００の前記脚体６７に係合する溝６９が設けられ、当該溝６９はフック片１００の移動距離を規定する。
【００１７】
この種の空気調和装置では、例えばフィルタ３９のメンテナンスのために、その都度、吸込グリル３７が開閉される。この吸込グリル３７が閉じられる場合には、吸込グリル３７が、図４Ａに示すように、ヒンジ５１を介して所定の閉じ位置まで回動された後に、この閉じ位置で、矢印Ａの方向にフック片１００がスライドされる。すると、図４Ｂに示すように、フック片１００の係止部１０２が、板金製パネル３３のフック片収容穴５３に係止されて、これにより、この吸込グリル３７が板金製パネル（空気調和機本体１）３３に固定される。
【００１８】
この実施形態では、図４Ａに示すように、フック片１００が矢印Ａの方向にスライドされたとき、図４Ｂに示すように、突起６５が凸部６３に当接して、この凸部６３を下方に押圧する。この場合、凸部６３には幅方向に延びるスリット５９が形成されているので、凸部６３が下方に押圧されることにより、このスリット５９が縮小し、この弾性変形に伴う反発力が生じる。図４Ｂに示すように、凸部６３が突起６５を通過したときには、突起６５による押圧力から開放されるので、いわゆる操作上のクリック感が得られる。尚、クリック感を出すためには、スリット５９は幅方向ほぼ一杯に形成することが望ましい。
【００１９】
フック片１００の略中央にはねじ孔７１が設けられるので、吸込グリル３７を閉じた場合に、このねじ孔７１に、図４Ｂに示すように、ねじ７５を螺合すれば、このねじ７５によりフック片１００が固定され、このフック片１００を誤ってスライドさせることはなくなり、安全性を向上させることができる。
【００２０】
この実施形態では、フック片１００にスリット５９を有する凸部６３を一体に設ける一方で、フック片１００が貫通する他端側枠部材３６Ｂの貫通孔５５に前記凸部６３に係合可能な突起６５を一体に設けるだけであるので、フック片および吸込グリルの製造コストはほとんど増大しない。そして、簡単な構成により、いわゆる操作上のクリック感を生じさせることができる。
【００２１】
以上、一実施形態に基づいて本発明を説明したが、本発明はこれに限定されるものではない。例えばスライド式のフック片の形状は前記形状に限定されず、本発明の趣旨を逸脱しない範囲内で変更は可能である。
【００２２】
【発明の効果】
これらの発明によれば、フック片に幅方向に延びるスリットを有する凸部を設ける一方で、フック片が貫通する他端側枠部材の貫通孔に凸部に係合可能な突起を設けるだけであるので、フック片および吸込グリルの製造コストをほとんど増大させることなく、簡単な構成によって、いわゆる操作上のクリック感を生じさせることができる。
【図面の簡単な説明】
【図１】本発明による空気調和装置の一実施形態を示す側面断面図である。
【図２】同じく内部構造を示す平面図である。
【図３】吸込グリルを示す図であり、Ａは平面図、Ｂは端面図、Ｃは側面図である。
【図４】ロック片が樹脂パネルに係止されるときの状態を示す図であり、Ａは係止前を示す図、Ｂは係止後を示す図である。
【図５】フック片を示す図であり、Ａは平面図、Ｂは側面図、Ｃは上端面図、Ｄは下端面図である。
【符号の説明】
１  空気調和機本体
３６Ｂ  他端側枠部材
５３  フック片収容穴
５５  貫通孔
５７  平坦部
５９  スリット
６３  凸部
６５  突起
６７  脚体
６９  溝
７１  ねじ孔
１００  ロック片
【図１】
0003583911.tif 000002
【図２】
0003583911.tif 000003
【図３】
0003583911.tif 000004
【図４】
0003583911.tif 000005
【図５】
0003583911.tif 000006